(57)【要約】  【構成】  擬似音声はスピーカ２０から出力され、被験者の発話音声はマイク１８によって取り込まれる。取り込まれた発話音声の韻律パラメータ、たとえばピッチは、ＣＰＵ１２によって検出される。検出されたピッチが音声認識可能範囲の下限値を下回れば、スピーカ２０から出力される擬似音声のピッチが上昇する。一方、検出されたピッチが音声認識可能範囲の上限値を上回れば、スピーカ２０から出力される擬似音声のピッチが低下する。  【効果】  発話音声のピッチが音声認識可能範囲の収まるように誘導され、音声認識の精度の向上が図られる。【選択図】  図１
2005266020.tif 000002
【特許請求の範囲】
【請求項１】
擬似音声を出力する出力手段、
被験者の発話音声を取り込む取り込み手段、
前記取り込み手段によって取り込まれた発話音声のピッチを検出するピッチ検出手段、
前記ピッチ検出手段によって検出されたピッチが第１閾値を下回るとき前記出力手段によって出力される擬似音声のピッチを上昇させるピッチ上昇手段、および
前記ピッチ検出手段によって検出されたピッチが前記第１閾値よりも大きい第２閾値を上回るとき前記出力手段によって出力される擬似音声のピッチを低下させるピッチ低下手段を備える、音声認識装置。
【請求項２】
前記取り込み手段によって取り込まれた発話音声のピッチレンジを検出するピッチレンジ検出手段、
前記ピッチレンジ検出手段によって検出されたピッチレンジが第３閾値を下回るとき前記出力手段によって出力される擬似音声のピッチレンジを拡大させるピッチレンジ拡大手段、および
前記ピッチレンジ検出手段によって検出されたピッチレンジが前記第３閾値よりも大きい第４閾値を上回るとき前記出力手段によって出力される擬似音声のピッチレンジを縮小させるピッチレンジ縮小手段をさらに備える、請求項１記載の音声認識装置。
【請求項３】
前記取り込み手段によって取り込まれた発話音声の発話間隔を検出する発話間隔検出手段、
前記発話間隔検出手段によって検出された発話間隔が第５閾値を下回るとき前記出力手段によって出力される擬似音声の発話間隔を伸長する発話間隔伸長手段、および
前記発話間隔検出手段によって検出された発話間隔が前記第５閾値よりも大きい第６閾値を上回るとき前記出力手段によって出力される擬似音声の発話間隔を短縮する発話間隔短縮手段をさらに備える、請求項１または２記載の音声認識装置。
【請求項４】
擬似音声を出力する出力手段、
被験者の発話音声を取り込む取り込み手段、
前記取り込み手段によって取り込まれた発話音声のピッチレンジを検出するピッチレンジ検出手段、
前記ピッチレンジ検出手段によって検出されたピッチレンジが第１閾値を下回るとき前記出力手段によって出力される擬似音声のピッチレンジを拡大させるピッチレンジ拡大手段、および
前記ピッチレンジ検出手段によって検出されたピッチレンジが前記第１閾値よりも大きい第２閾値を上回るとき前記出力手段によって出力される擬似音声のピッチレンジを縮小させるピッチレンジ縮小手段を備える、音声認識装置。
【請求項５】
前記取り込み手段によって取り込まれた発話音声の発話間隔を検出する発話間隔検出手段、
前記発話間隔検出手段によって検出された発話間隔が第３閾値を下回るとき前記出力手段によって出力される擬似音声の発話間隔を伸長する発話間隔伸長手段、および
前記発話間隔検出手段によって検出された発話間隔が前記第３閾値よりも大きい第４閾値を上回るとき前記出力手段によって出力される擬似音声の発話間隔を短縮する発話間隔短縮手段をさらに備える、請求項４記載の音声認識装置。
【請求項６】
擬似音声を出力する出力手段、
被験者の発話音声を取り込む取り込み手段、
前記取り込み手段によって取り込まれた発話音声の発話間隔を検出する発話間隔検出手段、
前記発話間隔検出手段によって検出された発話間隔が第１閾値を下回るとき前記出力手段によって出力される擬似音声の発話間隔を伸長する発話間隔伸長手段、および
前記発話間隔検出手段によって検出された発話間隔が前記第１閾値よりも大きい第２閾値を上回るとき前記出力手段によって出力される擬似音声の発話間隔を短縮する発話間隔短縮手段を備える、音声認識装置。
【請求項７】
音声認識装置のプロセサによって実行される音声認識プログラムであって、
被験者の発話音声のピッチを検出するピッチ検出ステップ、
前記ピッチ検出ステップによって検出されたピッチが第１閾値を下回るときスピーカから出力される擬似音声のピッチを上昇させるピッチ上昇ステップ、および
前記ピッチ検出手段によって検出されたピッチが前記第１閾値よりも大きい第２閾値を上回るとき前記スピーカから出力される擬似音声のピッチを低下させるピッチ低下ステップを備える、音声認識プログラム。
【請求項８】
前記被験者の発話音声のピッチレンジを検出するピッチレンジ検出ステップ、
前記ピッチレンジ検出ステップによって検出されたピッチレンジが第３閾値を下回るとき前記スピーカから出力される擬似音声のピッチレンジを拡大させるピッチレンジ拡大ステップ、および
前記ピッチレンジ検出ステップによって検出されたピッチレンジが前記第３閾値よりも大きい第４閾値を上回るとき前記スピーカから出力される擬似音声のピッチレンジを縮小させるピッチレンジ縮小ステップをさらに備える、請求項７記載の音声認識プログラム。
【請求項９】
前記被験者の発話音声の発話間隔を検出する発話間隔検出ステップ、
前記発話間隔検出ステップによって検出された発話間隔が第５閾値を下回るとき前記スピーカから出力される擬似音声の発話間隔を伸長する発話間隔伸長ステップ、および
前記発話間隔検出ステップによって検出された発話間隔が前記第５閾値よりも大きい第６閾値を上回るとき前記スピーカから出力される擬似音声の発話間隔を短縮する発話間隔短縮ステップをさらに備える、請求項７または８記載の音声認識プログラム。
【請求項１０】
音声認識装置のプロセサによって実行される音声認識プログラムであって、
被験者の発話音声のピッチレンジを検出するピッチレンジ検出ステップ、
前記ピッチレンジ検出ステップによって検出されたピッチレンジが第１閾値を下回るときスピーカから出力される擬似音声のピッチレンジを拡大させるピッチレンジ拡大ステップ、および
前記ピッチレンジ検出ステップによって検出されたピッチレンジが前記第１閾値よりも大きい第２閾値を上回るとき前記スピーカから出力される擬似音声のピッチレンジを縮小させるピッチレンジ縮小ステップを備える、音声認識プログラム。
【請求項１１】
前記被験者の発話音声の発話間隔を検出する発話間隔検出ステップ、
前記発話間隔検出ステップによって検出された発話間隔が第３閾値を下回るとき前記スピーカから出力される擬似音声の発話間隔を伸長する発話間隔伸長ステップ、および
前記発話間隔検出ステップによって検出された発話間隔が前記第３閾値よりも大きい第４閾値を上回るとき前記スピーカから出力される擬似音声の発話間隔を短縮する発話間隔短縮ステップをさらに備える、請求項１０記載の音声認識プログラム。
【請求項１２】
音声認識装置のプロセサによって実行される音声認識プログラムであって、
被験者の発話音声の発話間隔を検出する発話間隔検出ステップ、
前記発話間隔検出ステップによって検出された発話間隔が第１閾値を下回るときスピーカから出力される擬似音声の発話間隔を伸長する発話間隔伸長ステップ、および
前記発話間隔検出ステップによって検出された発話間隔が前記第１閾値よりも大きい第２閾値を上回るとき前記スピーカから出力される擬似音声の発話間隔を短縮する発話間隔短縮ステップを備える、音声認識プログラム。
【発明の詳細な説明】
【技術分野】
【０００１】
この発明は、音声認識装置に関し、特にたとえば、コンピュータと対話をする被験者の発話内容を認識する、音声認識装置に関する。
【背景技術】
【０００２】
従来のこの種の音声認識装置の一例が、特許文献１に開示されている。この従来技術によれば、ユーザの発話が速すぎる場合にシステム側からの発話速度を遅くするもので、これによってユーザの発話速度が適正範囲に誘導される。かかる誘導は、発話の音量や言い回しの丁寧さについても行われる。
【特許文献１】特開２００３−１５０１９４号公報
【発明の開示】
【発明が解決しようとする課題】
【０００３】
然しながら、上記した従来技術は、発話の速度と音量の誘導のみであったので、音声の認識精度向上には限界があった。
【０００４】
それゆえに、この発明の主たる特徴は、発話のその他の韻律パラメータ、即ち発話音声のピッチ、ピッチレンジ、発話間隔についても音声認識に適した範囲に誘導し、音声認識の精度を向上させることを目的とする。
【課題を解決するための手段】
【０００５】
請求項１の発明に従う音声認識装置は、擬似音声を出力する出力手段、被験者の発話音声を取り込む取り込み手段、取り込み手段によって取り込まれた発話音声のピッチを検出するピッチ検出手段、ピッチ検出手段によって検出されたピッチが第１閾値を下回るとき出力手段によって出力される擬似音声のピッチを上昇させるピッチ上昇手段、およびピッチ検出手段によって検出されたピッチが第１閾値よりも大きい第２閾値を上回るとき出力手段によって出力される擬似音声のピッチを低下させるピッチ低下手段を備える。
【０００６】
被験者の発話音声のピッチが第１閾値を下回ると、擬似音声のピッチが上昇する。擬似音声のピッチの上昇によって、被験者の発話音声のピッチが上昇方向に誘導される。また、被験者の発話音声のピッチが第２閾値を上回ると、擬似音声のピッチが低下する。擬似音声のピッチの低下によって、被験者の発話音声のピッチが減少方向に誘導される。これによって、被験者の発話音声のピッチを音声認識が可能な範囲に収めることができ、音声認識の精度の向上が図られる。
【０００７】
請求項２の発明に従う音声認識装置は、請求項１に従属し、取り込み手段によって取り込まれた発話音声のピッチレンジを検出するピッチレンジ検出手段、ピッチレンジ検出手段によって検出されたピッチレンジが第３閾値を下回るとき出力手段によって出力される擬似音声のピッチレンジを拡大させるピッチレンジ拡大手段、およびピッチレンジ検出手段によって検出されたピッチレンジが第３閾値よりも大きい第４閾値を上回るとき出力手段によって出力される擬似音声のピッチレンジを縮小させるピッチレンジ縮小手段をさらに備える。
【０００８】
被験者の発話音声のピッチレンジが第３閾値を下回ると、擬似音声のピッチレンジが拡大される。擬似音声のピッチレンジの拡大によって、被験者の発話音声のピッチレンジが拡大方向に誘導される。また、被験者の発話音声のピッチレンジが第４閾値を上回ると、擬似音声のピッチレンジが縮小される。擬似音声のピッチレンジの縮小によって、被験者の発話音声のピッチレンジが縮小方向に誘導される。これによって、被験者の発話音声のピッチレンジを音声認識が可能な範囲に収めることができ、音声認識の精度の向上が図られる。
【０００９】
請求項３の発明に従う音声認識装置は、請求項１または２に従属し、取り込み手段によって取り込まれた発話音声の発話間隔を検出する発話間隔検出手段、発話間隔検出手段によって検出された発話間隔が第５閾値を下回るとき出力手段によって出力される擬似音声の発話間隔を伸長する発話間隔伸長手段、および発話間隔検出手段によって検出された発話間隔が第５閾値よりも大きい第６閾値を上回るとき出力手段によって出力される擬似音声の発話間隔を短縮する発話間隔短縮手段をさらに備える。
【００１０】
被験者の発話音声の発話間隔が第５閾値を下回ると、擬似音声の発話間隔が伸長される。擬似音声の発話間隔の伸長によって、被験者の発話音声の発話間隔が伸長方向に誘導される。また、被験者の発話音声の発話間隔が第６閾値を上回ると、擬似音声の発話間隔が短縮される。擬似音声の発話間隔の短縮によって、被験者の発話音声の発話間隔が短縮方向に誘導される。これによって、被験者の発話音声の速度を音声認識が可能な範囲に収めることができ、音声認識の精度の向上が図られる。
【００１１】
請求項４の発明に従う音声認識装置は、擬似音声を出力する出力手段、被験者の発話音声を取り込む取り込み手段、取り込み手段によって取り込まれた発話音声のピッチレンジを検出するピッチレンジ検出手段、ピッチレンジ検出手段によって検出されたピッチレンジが第１閾値を下回るとき出力手段によって出力される擬似音声のピッチレンジを拡大させるピッチレンジ拡大手段、およびピッチレンジ検出手段によって検出されたピッチレンジが第１閾値よりも大きい第２閾値を上回るとき出力手段によって出力される擬似音声のピッチレンジを縮小させるピッチレンジ縮小手段を備える。
【００１２】
請求項５の発明に従う音声認識装置は、請求項４に従属し、取り込み手段によって取り込まれた発話音声の発話間隔を検出する発話間隔検出手段、発話間隔検出手段によって検出された発話間隔が第３閾値を下回るとき出力手段によって出力される擬似音声の発話間隔を伸長する発話間隔伸長手段、および発話間隔検出手段によって検出された発話間隔が第３閾値よりも大きい第４閾値を上回るとき出力手段によって出力される擬似音声の発話間隔を短縮する発話間隔短縮手段をさらに備える。
【００１３】
請求項６の発明に従う音声認識装置は、擬似音声を出力する出力手段、被験者の発話音声を取り込む取り込み手段、取り込み手段によって取り込まれた発話音声の発話間隔を検出する発話間隔検出手段、発話間隔検出手段によって検出された発話間隔が第１閾値を下回るとき出力手段によって出力される擬似音声の発話間隔を伸長する発話間隔伸長手段、および発話間隔検出手段によって検出された発話間隔が第１閾値よりも大きい第２閾値を上回るとき出力手段によって出力される擬似音声の発話間隔を短縮する発話間隔短縮手段を備える。
【００１４】
請求項７の発明に従う音声認識プログラムは、音声認識装置のプロセサによって実行される音声認識プログラムであって、被験者の発話音声のピッチを検出するピッチ検出ステップ、ピッチ検出ステップによって検出されたピッチが第１閾値を下回るときスピーカから出力される擬似音声のピッチを上昇させるピッチ上昇ステップ、およびピッチ検出手段によって検出されたピッチが第１閾値よりも大きい第２閾値を上回るときスピーカから出力される擬似音声のピッチを低下させるピッチ低下ステップを備える。
【００１５】
請求項８の発明に従う音声認識プログラムは、請求項７に従属し、被験者の発話音声のピッチレンジを検出するピッチレンジ検出ステップ、ピッチレンジ検出ステップによって検出されたピッチレンジが第３閾値を下回るときスピーカから出力される擬似音声のピッチレンジを拡大させるピッチレンジ拡大ステップ、およびピッチレンジ検出ステップによって検出されたピッチレンジが第３閾値よりも大きい第４閾値を上回るときスピーカから出力される擬似音声のピッチレンジを縮小させるピッチレンジ縮小ステップをさらに備える。
【００１６】
請求項９の発明に従う音声認識プログラムは、請求項７または８に従属し、被験者の発話音声の発話間隔を検出する発話間隔検出ステップ、発話間隔検出ステップによって検出された発話間隔が第５閾値を下回るときスピーカから出力される擬似音声の発話間隔を伸長する発話間隔伸長ステップ、および発話間隔検出ステップによって検出された発話間隔が第５閾値よりも大きい第６閾値を上回るときスピーカから出力される擬似音声の発話間隔を短縮する発話間隔短縮ステップをさらに備える。
【００１７】
請求項１０の発明に従う音声認識プログラムは、音声認識装置のプロセサによって実行される音声認識プログラムであって、被験者の発話音声のピッチレンジを検出するピッチレンジ検出ステップ、ピッチレンジ検出ステップによって検出されたピッチレンジが第１閾値を下回るときスピーカから出力される擬似音声のピッチレンジを拡大させるピッチレンジ拡大ステップ、およびピッチレンジ検出ステップによって検出されたピッチレンジが第１閾値よりも大きい第２閾値を上回るときスピーカから出力される擬似音声のピッチレンジを縮小させるピッチレンジ縮小ステップを備える。
【００１８】
請求項１１の発明に従う音声認識プログラムは、請求項１０に従属し、被験者の発話音声の発話間隔を検出する発話間隔検出ステップ、発話間隔検出ステップによって検出された発話間隔が第３閾値を下回るときスピーカから出力される擬似音声の発話間隔を伸長する発話間隔伸長ステップ、および発話間隔検出ステップによって検出された発話間隔が前記第３閾値よりも大きい第４閾値を上回るときスピーカから出力される擬似音声の発話間隔を短縮する発話間隔短縮ステップをさらに備える。
【００１９】
請求項１２の発明に従う音声認識プログラムは、音声認識装置のプロセサによって実行される音声認識プログラムであって、被験者の発話音声の発話間隔を検出する発話間隔検出ステップ、発話間隔検出ステップによって検出された発話間隔が第１閾値を下回るときスピーカから出力される擬似音声の発話間隔を伸長する発話間隔伸長ステップ、および発話間隔検出ステップによって検出された発話間隔が第１閾値よりも大きい第２閾値を上回るときスピーカから出力される擬似音声の発話間隔を短縮する発話間隔短縮ステップを備える。
【発明の効果】
【００２０】
この発明によれば、擬似音声のピッチの上昇／低下、ピッチレンジの拡大／縮小、または発話間隔の伸長／短縮によって被験者の発話音声のピッチ、ピッチレンジまたは発話間隔を所望の方向に誘導するようにしたため、音声認識の精度を向上させることができる。
【００２１】
この発明の上述の目的，その他の目的，特徴および利点は、図面を参照して行う以下の実施例の詳細な説明から一層明らかとなろう。
【発明を実施するための最良の形態】
【００２２】
図１を参照して、この実施例の音声認識装置１０は、被験者の発話音声信号を取り込むマイク１８を含む。マイク１８によって取り込まれた発話音声信号は、Ａ／Ｄ変換器１４を介してＣＰＵ１２に与えられる。ＣＰＵ１２は、Ａ／Ｄ変換器１４から取り込まれた発話音声データの内容を解析し、被験者と対話する擬似音声データを作成する。作成された擬似音声データは、Ｄ／Ａ変換器１６を介してスピーカ２０から出力される。なお、この擬似音声としては、周知の音声合成手段によって合成された合成音声が該当する。
【００２３】
ＣＰＵ１２は、被験者の発話音声の認識精度を高めるべく、１フレーズ分の発話音声データが取り込まれる毎に、図３〜図５に示すフロー図に従う処理を実行する。なお、これらのフロー図に対応する制御プログラムは、メモリ２２に記憶される。
【００２４】
まず図３を参照して、ステップＳ１では、取り込まれた発話音声データに基づいて被験者の声の高さつまりピッチＰＩｈを検出する。ステップＳ３およびＳ５では、検出されたピッチＰＩｈと閾値ＰＩｈ１およびＰＩｈ２との大小関係を判別する。なお、図２に示すように、閾値ＰＩｈ１およびＰＩｈ２はそれぞれ、音声認識可能範囲の下限値および上限値である。
【００２５】
ピッチＰＩｈが閾値ＰＩｈ１以上でかつ閾値ＰＩｈ２以下であれば、音声認識が可能であるとみなし、ステップＳ３からステップＳ１１に進む。ピッチＰＩｈが閾値ＰＩｈ１を下回るときは、ステップＳ３でＮＯと判断しかつステップＳ５でＹＥＳと判断し、ステップＳ７で擬似音声のピッチＰＩｃを“Δα”だけ高くする。ピッチＰＩｈが閾値ＰＩｈ２を上回るときは、ステップＳ３およびステップＳ５でＮＯと判断し、ステップＳ９で擬似音声のピッチＰＩｃを“Δα”だけ低くする。ステップＳ７またはＳ９の処理が完了すると、ステップＳ１１に進む。
【００２６】
なお、ピッチＰＩｃの可変範囲は“初期値±２α”であり、この範囲を外れる方向への更新を試みるステップＳ７またはＳ９の処理は、意味を成さない。
【００２７】
このように、発話音声のピッチＰＩｈが低すぎれば擬似音声のピッチＰＩｃが高くなり、発話音声のピッチＰＩｈが高すぎれば擬似音声のピッチＰＩｃが低くなる。つまり、発話音声のピッチＰＩｈは、整列傾向によって、音声認識可能範囲に収まるように誘導される。
【００２８】
ステップＳ１１では、取り込まれた発話音声データに基づいて被験者の声の抑揚範囲つまりピッチレンジＰＲｈを検出する。ステップＳ１３およびＳ１５では、検出されたピッチレンジＰＲｈと閾値ＰＲｈ１およびＰＲｈ２との大小関係を判別する。なお、図２に示すように、閾値ＰＲｈ１およびＰＲｈ２も、それぞれ音声認識可能範囲の下限値および上限値である。
【００２９】
ピッチレンジＰＲｈがＰＲｈ１≦ＰＲｈ≦ＰＲｈ２の条件を満たせば、音声認識が可能であるとみなし、ステップＳ１３からステップＳ２１に進む。ピッチレンジＰＲｈが閾値ＰＲｈ１を下回るときは、ステップＳ１７で擬似音声のピッチレンジＰＲｃを“Δβ”だけ拡大させる。ピッチレンジＰＲｈが閾値ＰＲｈ２を上回るときは、ステップＳ１９で擬似音声のピッチレンジＰＲｃを“Δβ”だけ縮小させる。ステップＳ１７またはＳ１９の処理が完了すると、ステップＳ２１に進む。
【００３０】
なお、上述と同様、ピッチレンジＰＲｈの可変範囲も“初期値±２β”であり、この範囲を外れる方向への更新を試みるステップＳ１７またはＳ１９の処理は、意味を成さない。
【００３１】
このように、発話音声のピッチレンジＰＲｈが狭すぎれば擬似音声のピッチレンジＰＲｃが拡大され、発話音声のピッチレンジＰＲｈが広すぎれば擬似音声のピッチレンジＰＲｃが縮小される。つまり、発話音声のピッチレンジＰＲｈは、整列傾向によって、音声認識可能範囲に収まるように誘導される。
【００３２】
ステップＳ２１では、取り込まれた発話音声データに基づいて被験者の発話速度Ｓｈを検出する。ステップＳ２３およびＳ２５では、検出された発話速度Ｓｈと閾値Ｓｈ１およびＳｈ２との大小関係を判別する。上述と同様、閾値Ｓｈ１およびＳｈ２も、それぞれ音声認識可能範囲の下限値および上限値である。また、ステップＳ２１で検出される発話速度の単位は、“mora/sec”である。
【００３３】
発話速度ＳｈがＳｈ１≦Ｓｈ≦Ｓｈ２の条件を満たせば、音声認識が可能であるとみなし、ステップＳ２３からステップＳ３１に進む。発話速度Ｓｈが閾値Ｓｈ１を下回るときは、ステップＳ２７で擬似音声の発話速度Ｓｃを“Δγ”だけ上昇させる。発話速度Ｓｈが閾値Ｓｈ２を上回るときは、ステップＳ２９で擬似音声の発話速度Ｓｃを“Δγ”だけ低下させる。ステップＳ２７またはＳ２９の処理が完了すると、ステップＳ３１に進む。
【００３４】
なお、上述と同様、発話速度Ｓｈの可変範囲も“初期値±２γ”であり、この範囲を外れる方向への更新を試みるステップＳ２７またはＳ２９の処理は、意味を成さない。
【００３５】
このように、被験者の発話速度Ｓｈが低すぎれば擬似音声の発話速度Ｓｃが上昇し、被験者の発話速度Ｓｈが高すぎれば擬似音声の発話速度Ｓｃが低下する。つまり、被験者の発話速度Ｓｈは、整列傾向によって、音声認識可能範囲に収まるように誘導される。
【００３６】
ステップＳ３１では、取り込まれた発話音声データに基づいて被験者の発話間隔（相手方の擬似音声終了時刻から自身の応答開始時刻までの間隔）Ｔｈを検出する。ステップＳ３３およびＳ３５では、検出された発話間隔Ｔｈと閾値Ｔｈ１およびＴｈ２との大小関係を判別する。上述と同様、閾値Ｔｈ１およびＴｈ２も、それぞれ音声認識可能範囲の下限値および上限値である。
【００３７】
発話間隔ＴｈがＴｈ１≦Ｔｈ≦Ｔｈ２の条件を満たせば、音声認識が可能であるとみなし、ステップＳ３３からステップＳ４１に進む。発話間隔Ｔｈが閾値Ｔｈ１を下回るときは、ステップＳ３７で擬似音声の発話間隔Ｔｃを“Δδ”だけ伸長させる。発話間隔Ｔｈが閾値Ｔｈ２を上回るときは、ステップＳ３９で擬似音声の発話間隔Ｔｃを“Δδ”だけ短縮させる。ステップＳ３７またはＳ３９の処理が完了すると、ステップＳ４１に進む。
【００３８】
なお、上述と同様、発話間隔Ｔｈの可変範囲も“初期値±２δ”であり、この範囲を外れる方向への更新を試みるステップＳ３７またはＳ３９の処理は、意味を成さない。
【００３９】
このように、被験者の発話間隔Ｔｈが短すぎれば擬似音声の発話間隔Ｔｃが伸長され、被験者の発話間隔Ｔｈが長すぎれば擬似音声の発話間隔Ｔｃが短縮される。つまり、被験者の発話間隔Ｔｈは、整列傾向によって、音声認識可能範囲に収まるように誘導される。
【００４０】
ステップＳ４１では、取り込まれた発話音声データに基づいて被験者の声量Ｖｈを検出する。ステップＳ４３およびＳ４５では、検出された声量Ｖｈと閾値Ｖｈ１およびＶｈ２との大小関係を判別する。なお、図２に示すように、閾値Ｖｈ１およびＶｈ２も、それぞれ音声認識可能範囲の下限値および上限値である。
【００４１】
声量ＶｈがＶｈ１≦Ｖｈ≦Ｖｈ２の条件を満たせば、音声認識が可能であるとみなし、処理を終了する。声量Ｖｈが閾値Ｖｈ１を下回るときは、ステップＳ４７で擬似音声の声量Ｖｃを“Δε”だけ増大させる。声量Ｖｈが閾値Ｖｈ２を上回るときは、ステップＳ４９で擬似音声の声量Ｖｃを“Δε”だけ減少させる。ステップＳ４７またはＳ４９の処理が完了すると、処理を終了する。
【００４２】
なお、上述と同様、声量Ｖｈの可変範囲も“初期値±２ε”であり、この範囲を外れる方向への更新を試みるステップＳ４７またはＳ４９の処理は、意味を成さない。
【００４３】
このように、発話音声の声量Ｖｈが小さすぎれば擬似音声の声量Ｖｃが増大し、発話音声の声量Ｖｈが大きすぎれば擬似音声の声量Ｖｃが減少する。つまり、発話音声の声量Ｖｈは、整列傾向によって、音声認識可能範囲に収まるように誘導される。
【００４４】
以上の説明から分かるように、擬似音声はスピーカ２０から出力され、被験者の発話音声はマイク１８によって取り込まれる。取り込まれた発話音声の韻律パラメータ値（ピッチ，ピッチレンジ，発話速度，発話間隔，声量）は、ＣＰＵ１２によって検出される。検出された韻律パラメータ値が音声認識可能範囲の下限値（ＰＩｈ１，ＰＲｈ１，Ｓｈ１，Ｔｈ１，Ｖｈ１）を下回れば、スピーカ２０から出力される擬似音声の韻律パラメータ値が上昇する。一方、検出された韻律パラメータ値が音声認識可能範囲の上限値（ＰＩｈ２，ＰＲｈ２，Ｓｈ２，Ｔｈ２，Ｖｈ２）を上回れば、スピーカ２０から出力される擬似音声の韻律パラメータ値が低下する。これによって、発話音声の韻律パラメータ値が音声認識可能範囲の収まるように誘導され、音声認識の精度の向上が図られる。
【図面の簡単な説明】
【００４５】
【図１】この発明の一実施例の構成を示すブロック図である。
【図２】図１実施例の動作の一部を示す図解図である。
【図３】図１実施例に適用されるＣＰＵの動作の一部を示すフロー図である。
【図４】図１実施例に適用されるＣＰＵの動作の他の一部を示すフロー図である。
【図５】図１実施例に適用されるＣＰＵの動作のその他の一部を示すフロー図である。
【符号の説明】
【００４６】
１０  …  音声認識装置
１２  …  ＣＰＵ
１８  …  マイク
２０  …  スピーカ
２２  …  メモリ
【図１】
2005266020.tif 000003
【図２】
2005266020.tif 000004
【図３】
2005266020.tif 000005
【図４】
2005266020.tif 000006
【図５】
2005266020.tif 000007